(57)【要約】【課題】  音声取得に用いる無線通信と撮像画像の無線通信とが混信する状況となり得る場合であっても、ユーザの意図に従った無理のない通信状況にスムースに移行する技術を提供する。【解決手段】  内蔵マイク、撮像部とを有し、音声付の映像を所定の記憶媒体に記録する撮像装置であって、外部機器を接続するためのインターフェースと、外部装置と無線通信するための無線通信部と、該無線通信部を介して外部装置と無線通信を行っている状態で、集音した音声を無線により送信してくる無線マイク用の受信機がインターフェースに接続された場合、所定の時間が経過してから、無線通信部による無線通信を終了させる通信制御部と、無線通信部の無線通信を終了したことに応じて、音声の入力源として、内蔵マイクから無線マイクに切り換える切換部とを有する。【選択図】  図１
2018042112.tif 000002
【特許請求の範囲】
【請求項１】
内蔵マイク、撮像部とを有し、音声付の映像を所定の記憶媒体に記録する撮像装置であって、
外部機器を接続するためのインターフェース手段と、
外部装置と無線通信するための無線通信手段と、
該無線通信手段を介して前記外部装置と無線通信を行っている状態で、集音した音声を無線により送信してくる無線マイク用の受信機が前記インターフェースに接続された場合、所定の時間が経過してから、前記無線通信手段による無線通信を終了させる通信制御手段と、
前記無線通信手段の無線通信を終了したことに応じて、音声の入力源として、前記内蔵マイクから前記無線マイクに切り換える切換手段と
を有することを特徴とする撮像装置。
【請求項２】
前記通信制御手段は、
前記撮像部による撮像中の映像を前記外部装置に前記無線通信手段を介して送信している状態で前記受信機の前記インターフェースへの接続を検出した場合、前記所定時間が経過するまで、前記無線通信手段による無線通信が終了までの残り時間を示すメッセージを表示し、
前記所定時間が経過する以前に、前記受信機の非接続を検出した場合には、前記無線通信手段による無線通信を継続するように制御する
ことを特徴とする請求項１に記載の撮像装置。
【請求項３】
前記通信制御手段は、
前記記憶媒体に既に記録した映像を前記外部装置に前記無線通信手段を介して送信している状態で前記受信機の前記インターフェースへの接続を検出した場合には、前記受信機を外すことを促すメッセージを表示して、前記無線通信手段による無線通信は継続させる
ことを特徴とする請求項１又は２に記載の撮像装置。
【請求項４】
内蔵マイク、撮像部とを有し、音声付の映像を所定の記憶媒体に記録する撮像装置であって、
外部機器を接続するためのインターフェース手段と、
複数の周波数帯域の中の１つを使って、外部装置と無線通信するための無線通信手段と、
該無線通信手段を介して前記外部装置と無線通信を行っている状態で、前記インターフェースに、集音した音声を無線により送信してくる無線マイク用の受信機が接続された場合であって、前記無線通信手段で利用している周波数帯域と前記受信機が利用している周波数帯域とが重複している場合には、前記無線通信手段に対して前記受信機とは重複しない周波数帯域による前記外部装置との接続を再開させる通信制御手段と、
前記無線通信手段の無線通信による接続の再開が完了したことに応じて、音声の入力源として、前記内蔵マイクから前記無線マイクに切り換える切換手段と
を有することを特徴とする撮像装置。
【請求項５】
前記通信制御手段は、
前記インターフェースに前記受信機が接続され、音声入力源として前記無線マイクに切り換わっており、前記無線通信手段による前記外部装置との通信開始指示があった場合、前記無線通信手段に対して前記受信機が利用する周波数帯域を除く周波数帯域を用いて通信を開始する
ことを特徴とする請求項４に記載の撮像装置。
【請求項６】
前記通信制御手段は、前記無線通信手段で用いる周波数帯域を示すメッセージを表示することを特徴とする請求項５に記載の撮像装置。
【請求項７】
前記無線通信手段は、無線ＬＡＮであり、
前記無線マイクと前記受信機との間の無線通信は、通信に係る固定のパラメータのＢｌｕｅｔｏｏｔｈである
ことを特徴とする請求項１乃至６のいずれか１項に記載の撮像装置。
【請求項８】
外部機器を接続するためのインターフェース手段、外部装置と無線通信するための無線通信手段、内蔵マイク、撮像部とを有し、音声付の映像を所定の記憶媒体に記録する撮像装置の制御方法であって、
前記無線通信手段を介して前記外部装置と無線通信を行っている状態で、集音した音声を無線により送信してくる無線マイク用の受信機が前記インターフェースに接続された場合、所定の時間が経過してから、前記無線通信手段による無線通信を終了させる通信制御工程と、
前記無線通信手段の無線通信を終了したことに応じて、音声の入力源として、前記内蔵マイクから前記無線マイクに切り換える切換工程と
を有することを特徴とする撮像装置の制御方法。
【請求項９】
外部機器を接続するためのインターフェース手段、複数の周波数帯域の中の１つを使って、外部装置と無線通信するための無線通信手段、内蔵マイク、撮像部とを有し、音声付の映像を所定の記憶媒体に記録する撮像装置の制御方法であって、
該無線通信手段を介して前記外部装置と無線通信を行っている状態で、前記インターフェースに、集音した音声を無線により送信してくる無線マイク用の受信機が接続された場合であって、前記無線通信手段で利用している周波数帯域と前記受信機が利用している周波数帯域とが重複している場合には、前記無線通信手段に対して前記受信機とは重複しない周波数帯域による前記外部装置との接続を再開させる通信制御工程と、
前記無線通信工程の無線通信による接続の再開が完了したことに応じて、音声の入力源として、前記内蔵マイクから前記無線マイクに切り換える切換工程と
を有することを特徴とする撮像装置の制御方法。
【発明の詳細な説明】
【技術分野】
【０００１】
本発明は、撮像装置及びその制御方法に関するものである。
【背景技術】
【０００２】
従来、画像信号を記録するとともに音声信号を記録する撮像装置が知られている。これらの撮像装置の中には、撮像装置に備え付けられているマイクロフォン（内蔵マイク）とは別に、着脱可能であり、無線通信で音声信号を取得する手法が備えられているものがある。無線通信で音声信号を取得し記録する場合、内蔵マイクの音声を遮断して記録するのが一般的である。音声信号取得の無線通信としてＢｌｕｅｔｏｏｔｈ（登録商標）通信を利用した装置があり、撮像装置からは無線通信の通信制御ができず、装着と同時に自動的に通信を開始する装置もある。
【０００３】
さらに、これらの撮像装置において無線ＬＡＮ等の無線通信を用いてデータの送受信を行う機器が存在する。しかし、例えばデータの送受信を行う際に、Ｂｌｕｅｔｏｏｔｈ通信による音声信号取得手法と同じ周波数帯域を使用した場合、混信が生じ音声品質が劣化してしまうということや、データの転送速度が低下するなどの問題がある。そのため、Ｂｌｕｅｔｏｏｔｈ通信により音声信号を取得する場合は、データの送受信に用いる無線ＬＡＮでの無線通信を切断するよう動作する機器が存在する。また、同一周波数帯域で複数の無線通信が動作していた場合は、通信項目の選択肢を表示させ、選択された通信項目以外の通信を切断させる、というものがある（例えば特許文献１）。
【先行技術文献】
【特許文献】
【０００４】
【特許文献１】特開２０１４−４５３６９号公報
【発明の概要】
【発明が解決しようとする課題】
【０００５】
特許文献１では、複数の無線通信からユーザが所望の通信を選択することが可能な機器の場合は有効であるが、前述のように音声信号取得に用いる無線通信の通信制御が不可能な機器では有効ではない。
【０００６】
また、音声信号取得に用いる無線通信の通信制御が不可能な機器においては、データの送受信に用いる無線通信を優先させたい場合でも、混信を防ぐためデータの送受信に用いる無線通信を強制的に終了するため、再度動作させるためには、音声信号取得に用いる無線通信を行う外部機器を取り外した上で、接続手順を再度行う必要があり、ユーザの手間が生じてしまうという問題がある。
【０００７】
本発明は上記問題に鑑みなされたものであり、音声取得に用いる無線通信と撮像画像の無線通信とが混信する状況となり得る場合であっても、ユーザの意図に従った無理のない通信状況にスムースに移行できる技術を提供しようとするものである。
【課題を解決するための手段】
【０００８】
この課題を解決するため、例えば本発明の撮像装置は以下の構成を備える。すなわち、
内蔵マイク、撮像部とを有し、音声付の映像を所定の記憶媒体に記録する撮像装置であって、
外部機器を接続するためのインターフェース手段と、
外部装置と無線通信するための無線通信手段と、
該無線通信手段を介して前記外部装置と無線通信を行っている状態で、集音した音声を無線により送信してくる無線マイク用の受信機が前記前記インターフェースに接続された場合、所定の時間が経過してから、前記無線通信手段による無線通信を終了させる通信制御手段と、
前記無線通信手段の無線通信を終了したことに応じて、音声の入力源として、前記内蔵マイクから前記無線マイクに切り換える切換手段とを有する。
【発明の効果】
【０００９】
本発明によれば、音声取得に用いる無線通信と撮像画像の無線通信とが混信する状況となり得る場合であっても、ユーザの意図に従った無理のない通信状況にスムースに移行できるようになる。
【図面の簡単な説明】
【００１０】
【図１】実施形態が適用する撮像装置のブロック構成図。
【図２】第１の実施形態に係る撮像装置の処理手順を示すフローチャート。
【図３】第２の実施形態に係る撮像装置の処理手順を示すフローチャート。
【図４】第３の実施形態に係る撮像装置の処理手順を示すフローチャート。
【図５】第１の実施形態に係る撮像装置の画面の一例を示す図。
【図６】第１の実施形態に係る撮像装置の画面の一例を示す図。
【図７】第３の実施形態に係る撮像装置の画面の一例を示す図。
【発明を実施するための形態】
【００１１】
以下、添付図面に従って本発明に係る実施形態を詳細に説明する。
【００１２】
＜第１の実施形態＞
以下、図１、図２、図５、図６を参照しながら本発明の第１の実施形態を説明する。
【００１３】
図１は、実施形態を適用可能な撮像装置のブロック構成図である。撮像部１００１は、被写体の光学像を取り込む撮影レンズや、光量を制御する絞り、光学像を電気信号に変換する撮像素子等で構成される。映像処理部１００２は、撮像部１００１から得た画像信号を適正な信号レベルにし、デジタルデータに変換し、１フレーム分ずつ記録する等の映像記録方式に必要な処理を行う。音声入力部１００３は、音声入力端子を介して接続された外部の無線マイク等により、撮像装置周辺の音声を集音し、アナログ／デジタル変換をして音声信号をデジタルデータとして入力選択部１００５に伝送する。本実施形態では、無線マイクとしてＢｌｕｅｔｏｏｔｈ通信に対応したマイクロフォン（以下、ＢＴマイクとする）を例にあげる。ＢＴマイクは、無線マイクと無線マイク用受信機（以下、単に受信機）とで構成され、撮像装置に受信機を装着する。受信機は、例えばＵＳＢスレーブインターフェースを有し、マイクとの間の通信に係るパラメータは固定となっている。そして、マイクで収音された周囲の音声がＢｌｕｅｔｏｏｔｈ通信を介して受信着に転送される。また、実施形態における撮像装置には、ＵＳＢマスターインターフェースが設けられており、ここに上記の受信機が接続可能となっている。上記の通りであるから、ＢＴマイクの通信制御は撮像装置からはできず、撮像装置にＢＴマイク（の受信機）が装着した時点でＢｌｕｅｔｏｏｔｈ通信が動作する。ＢＴマイクを取り外せば、Ｂｌｕｅｔｏｏｔｈ通信の動作も停止となる。Ｂｌｕｅｔｏｏｔｈ通信は、２．４ＧＨｚ帯を用いる。内蔵マイク１００４は撮像装置に最初から装着されているものであり、撮像装置周辺の音声を集音し、アナログデジタル変換をして音声信号を入力選択部１００５に伝送する。
【００１４】
入力選択部１００５は、音声入力部１００３および内蔵マイク部１００４から得た音声信号を、装置制御部１０１６からの指示により一方を選択し、選択した音声信号を音声信号処理部１００６に伝送する。音声信号処理部１００６は取り込んだ音声信号を適正なレベルまで増幅する増幅器を有し、音声信号を処理して音声データを生成する。
【００１５】
操作部１００７は、ユーザと撮像装置とのインターフェースとして機能するものであり、各種ボタンやスイッチ、タッチパネル等で構成される。表示部１００８は、表示制御部１００９からのデータを表示するものであるが、例えばこの表示部１００８の表示画面上に、操作部１００７の構成要素であるタッチパネルが設けられていても構わない。表示制御部１００９は、映像処理部１００２から送信された画像信号にかかる映像や、撮像装置の操作をするための操作画面（メニュー画面）等を表示部１００８に表示させる。
【００１６】
映像／音声バス１０１０は、各処理ユニット間の画像データや音声データの伝送を行うバスである。制御信号バス１０１１は装置制御部１０１６からの制御信号や、操作部１００７からの指示信号等を伝送するためのバスである。
【００１７】
無線通信制御部１０１２は、画像／音声バス１０１０上のデータを取得し、装置制御部１０１６からの指示により無線通信部１０１３の通信機能を制御する。無線通信部１０１３は、無線通信制御部１０１２からの指示により、データに変調をかけ搬送波に乗せて外部機器（図示せず）と無線通信する。無線通信は例えばＷｉ−Ｆｉ（無線ＬＡＮ）であり、２．４ＧＨｚ、５ＧＨｚ帯からユーザが選択して設定する。無線通信を行う機能（以下、無線機能とする）は、例えばカメラ系機能、再生系機能、設定系機能がある。
【００１８】
カメラ系機能は、本装置で撮像中にその撮像した映像を外部装置（例えばスマートホン等）に転送するモードである。典型的には、外部装置が本装置で撮像している映像を、無線で受信して表示（録画）する場合がこれに当たる。この状況では、撮像画像に加えて、音声入力部１００３または内蔵マイク部１００４から音声も併せて外部装置に転送するため、混信による音声劣化の影響は大きい。
【００１９】
再生系機能は、記録部１０１５等にある以前に撮像記録した音声付映像データを無線通信部１０１３から外部機器に送信するモードである。記録済みデータの送受信のため、機能動作中に音声を集音することはないものの、混信によるデータの転送速度低下の影響が考えられる。
【００２０】
設定系機能は、無線通信制御部１０１２において無線通信における設定を行う機能である。例えば、周囲のアクセスポイントを検索する際等に使用する。機能動作中に音声を集音することもなく、映像や音声のデータ転送も行わないため、データ転送速度への影響も考えなくてよい。
【００２１】
記録制御部１０１４は装置制御部１０１６の指示により無線通信を行うデータを、記録部１０１５から取得する。記録部１０１５は、映像処理部１００２から得られた映像データ、音声信号処理部１００６から得られた音声データ、及びその他のデータを必要に応じて関連付けて記録し、また、その記録されたデータを記録制御部１０１４の指示により読み出す機能を有する。
【００２２】
装置制御部１０１６は各種機能に応じて、これまで説明した各種処理部を制御するものであり、ＣＰＵ、ＲＡＭ、ＲＯＭ等で構成される。
【００２３】
上記が実施形態における撮像装置の構成の説明であるが、上記はあくまで一例であると理解されたい。例えば、図１に各種の制御部を示したが、必ずしも図１のような構成でなくともよい。撮像装置の制御に関しては、１つのハードウェアがいろいろな制御を行う手段として機能してもよいし、複数のハードウェアが処理を分担しながら撮像装置の各部を制御するよう機能してもよい。
【００２４】
図２は、本実施形態において、着脱可能な音声信号取得手段（以下、ＢＴマイク（Ｂｌｕｅｔｏｏｔｈマイク）とする）が撮像装置に装着された際に装置制御部１０１６が実行する制御フローチャートである。以下、図２のフローチャートを用いて、装置制御部１０１６の処理内容を説明する。
【００２５】
装置制御部１０１６は、音声入力部１００３を介してＢＴマイク（の受信機）の装着を検出した場合、処理をステップＳ２００１に進める。ステップＳ２００１にて、装置制御部１０１６は、無線通信制御部１０１２が動作中であるか否かを判定する。動作中であった場合は、処理をステップＳ２００２へ進め、動作中でなかった場合は処理をステップＳ２００９へ進める。
【００２６】
ステップＳ２００２にて、装置制御部１０１６は、動作中の無線機能が使用している周波数帯域を判定する。２．４ＧＨｚ帯であった場合は、ＢＴマイクにおける通信周波数と重複する帯域（同じ帯域）であるので、処理をステップＳ２００３へ進める。一方、無線通信が５ＧＨｚの周波数帯域であった場合は混信の影響はないため、処理をステップＳ２００９へ進む。ここでは２．４ＧＨｚか５ＧＨｚの判定を行っているが、検出されたＢＴマイクの使用する周波数帯域と同一か否か、という判定にしてもよい。
【００２７】
ステップＳ２００３にて、装置制御部１０１６は無線機能の種類を判定する。カメラ系機能、つまり撮像部１００１を用いて撮像を行う機能の場合は処理をステップＳ２００４へ進める。また、再生系機能、つまり記録部１０１５等にあるデータを無線通信部１０１３から外部機器に送信するような機能の場合には処理をステップＳ２０１０へ進める。また、設定系機能、つまり無線通信制御部１０１２において無線通信における設定を行う機能の場合には、通信時間も短く、混信の影響は少ないため、処理をステップＳ２００９へ進める。
【００２８】
ステップＳ２００４にて、装置制御部１０１６は、所定時間Ｔのカウントダウンを行う。実施形態では、Ｔ＝５秒として説明するが、この時間はユーザが操作部１００７から設定するようにしても構わない。ユーザが設定する場合には、設定した時間を不揮発性メモリに記憶保持し、修正が無い限りその値を用いるようにすれば良い。
【００２９】
ステップＳ２００５にて、装置制御部１０１６は、表示部１００８の画面更新を行う。表示部１００８に表示される画面の一例を図５に示す。図示の如く、無線ＬＡＮの機能の終了及びＢＴマイクに切り換えること、及び、残り時間とを含む予告メッセージを表示する。装置制御部１０１６は、画面内の時間表示部分５００１に、前記ステップＳ２００４でのカウントダウン時間を表示する。
【００３０】
ステップＳ２００６にて、装置制御部１０１６は、音声入力部１００３へのＢＴマイクの装着が継続されているか否かを判定する。継続して装着している場合はステップＳ２００７へ進み、装着が検出されない場合は処理を終了する。一定時間の間にユーザによるＢＴマイク（の受信機）を非接続を検出した場合、混信することがないため、無線機能を引き続き動作可能とする。
【００３１】
ステップＳ２００７にて、装置制御部１０１６は、時間Ｔが経過したか否かを判定する。経過した場合はステップＳ２００８へ進み、経過していない場合は処理をステップＳ２００５へ戻す。
【００３２】
ステップＳ２００８にて、装置制御部１０１６は、無線通信制御部１０１２に停止命令を発行し、動作中の無線機能を停止させる。無線機能動作中にＢＴマイクが装着され、一定時間（実施形態では５秒）、無線機能を継続動作したが、時間Ｔ以内にユーザがＢＴマイクを取り外さなかったため、無線機能を終了する。無線機能を終了することにより、混信を防ぐことが可能となる。
【００３３】
ステップＳ２００９にて、装置制御部１０１６は、音声入力源として音声入力部１００３への切換を行う。この結果、ステップＳ２００９の処理までに、混信の原因を取り除く、または、混信の影響がないと判断したことになる。ステップＳ２００９にて、装置制御部１０１６は、具体的には、入力選択部１００５により、音声入力を内蔵マイク部１００４から音声入力部１００３で検出しているＢＴマイクに切り替える処理を行うことになる。
【００３４】
ステップＳ２０１０にて、装置制御部１０１６は、再生系機能の画面表示処理を行う。再生系機能では、基本的にＢＴマイクを使用する必要はないため、無線機能を優先して継続する。しかし、混信によりデータの転送速度などに影響が生じるため、ＢＴマイクを外すことをユーザに促す。図６が表示部１００８に表示される画面の一例である。
【００３５】
なお、本フローでの各イベント判定ステップＳ２００１、Ｓ２００２、Ｓ２００３、Ｓ２００６、Ｓ２００７は、順に問い合わせによる判定で説明したが、各条件のイベント待ちを同時に行う場合には、イベント発生順に各処理を実行してもよい。
【００３６】
本実施形態においては、前述したように混信の影響を鑑みて、現在実行中の無線機能の種類により異なる制御を行う。これにより、２つの無線通信を同時に使用できない条件を軽減し、かつ、無線機能の強制終了までにユーザが処理を選択できる時間を与えることが可能になる。
【００３７】
＜第２の実施形態＞
次に、図１、図３を用いて、第２の実施形態を説明する。なお、本第２の実施形態における装置構成は第１の実施形態と共通とし、その共通の部分は説明を省略し、第２の実施形態に特有の部分を中心に説明する。
【００３８】
図３は、本実施形態において、ＢＴマイクが本装置に装着された際に装置制御部１０１６が行う処理手順を示すフローチャートである。以下、同図に従って説明する。
【００３９】
本第２の実施形態の特徴は、第１の実施形態と比較して、無線機能を強制終了させ、自動的に混信の影響のない周波数帯域に切り替えて無線機能を再動作させる、という点をその特徴とするものである。
【００４０】
音声入力部１００３を介して、ＢＴマイク（の受信機）の本装置への装着を検出した場合、装置制御部１０１６がステップＳ３００１から処理を開始する。
【００４１】
ステップＳ３００１にて、装置制御部１０１６は、無線通信制御部１０１２が動作中であるか否かを判定する。動作中であった場合は、処理をステップＳ３００２へ進め、動作していない（非動作中）であった場合には処理をステップＳ３００５へ進める。
【００４２】
ステップＳ３００２では、動作中の無線機能が使用している周波数帯域を判定する。２．４ＧＨｚ帯であった場合は、ＢＴマイクの使用する帯域と同じであるが処理をステップＳ３００３へ進める。一方、無線機能が５ＧＨｚの周波数帯域を用いている場合は混信の影響はないため、処理をステップＳ３００５へ進む。なお、ここでは２．４ＧＨｚか５ＧＨｚの判定を行っているが、検出されたＢＴマイクの使用する周波数帯域と同一か否か、という判定するようにしても良い。
【００４３】
ステップＳ３００３にて、装置制御部１０１６は、無線通信制御部１０１２で動作中の無線機能を終了する。そして、ステップＳ３００４にて、装置制御部１０１６は、無線通信制御部１０１２に対して５ＧＨｚ帯による無線機能を再開させる。そして、無線機能の再開が完了すると、処理をステップＳ３００５に進める
ステップＳ３００５にて、装置制御部１０１６は、音声入力切替を行う。ステップＳ３００５の処理の前までに、混信の原因をとりのぞいた、または、混信の影響がないと判断したことになる。そこで、入力選択部１００５により、音声入力を内蔵マイク部１００４から音声入力部１００３で検出しているＢＴマイクに切り替える。
【００４４】
なお、本フローでの各イベント判定ステップＳ３００１、Ｓ３００２は、順に問い合わせによる判定で説明したが、各条件のイベント待ちを同時に行う場合には、イベント発生順に各処理を実行してもよい。
【００４５】
本実施形態においては、前述したように、２つの無線通信が同一の周波数帯域であり、混信の影響がある場合に、一方の無線通信を異なる周波数帯域で自動再起動する。これにより、ユーザの操作を必要とせずに、混信を防ぐことが可能となる。
【００４６】
＜第３の実施形態＞
次に、図１、図４、図７を用いて、第３の実施形態を説明する。なお、第３の実施形態の装置構成は、第１の実施形態と共通とし、その共通の部分は説明を省略し、第３の実施形態に特有の部分を中心に説明する。
【００４７】
図４は、第３の実施形態において、無線機能開始要求があった際の装置制御部１０１６が実行する処理を示すフローチャートである。以下、同図に従って装置制御部１０１６ｎ処理を説明する。本第３の実施形態は、無線通信制御部１０１２が周波数帯域２．４ＧＨｚで無線通信部１０１３から無線通信を行う設定になっている場合に、混信を防ぐため、周波数帯域を変更して無線通信を開始する。本フローチャートは、無線機能がＯＦＦの状態で操作部１００７等から無線機能の開始要求を受信した際の処理である点に注意されたい。
【００４８】
装置制御部１０１６は、操作部１００７等から無線機能の通信開始指示を受信した場合、ステップＳ４００１から処理を開始する。
【００４９】
ステップＳ４００１にて、装置制御部１０１６は、無線通信制御部１０１２が周波数帯域２．４ＧＨｚで無線通信部１０１３から無線通信を行う設定になっているか否かを判定する。２．４ＧＨｚ帯であった場合は、処理をステップＳ４００２へ進め、５ＧＨｚであった場合は処理をステップＳ４００４へ進める。
【００５０】
ステップＳ４００２にて、装置制御部１０１６は、音声入力部１００３へＢＴマイク（の受信機）の装着検出を行う。ＢＴマイクの装着が検出された場合、装置制御部１０１６は、処理をステップＳ４００３へ進め、検出できなかった場合（ＢＴマイクが未装着であった場合）には処理をステップＳ４００５へ進める。
【００５１】
ステップＳ４００３にて、装置制御部１０１６は表示部１００８の画面更新を行う。図７は、表示部１００８に表示される画面の一例である。無線通信部１０１３と接続する外部機器によっては５ＧＨｚ帯に対して非対応の機器も存在するため、ユーザに明示的に通知することが目的である。なお、装置制御部１０１６は、画面におけるボタン７００１に対するユーザからの選択（タッチ操作、又は、確認キー等）を検出して、次のステップＳ４００４へ進める。
【００５２】
ステップＳ４００４にて、装置制御部１０１６は、無線通信制御部１０１２に無線機能を５ＧＨｚ帯で開始させる。これにより、利用中のＢＴマイクとの混信を防いだ無線通信を開始することが可能になる。
【００５３】
一方、ステップＳ４００５に処理が進んだ場合、装置制御部１０１６は、無線通信制御部１０１２に無線機能を２．４ＧＨｚ帯で開始させる。ステップＳ４００５の処理の前までに、混信の影響がないと判断したことになる。
【００５４】
なお、本フローでの各イベント判定ステップＳ４００１、Ｓ４００２は、順に問い合わせによる判定で説明したが、各条件のイベント待ちを同時に行う場合には、イベント発生順に各処理を実行してもよい。
【００５５】
本実施形態においては、前述したように、装置制御部１０１６が無線機能の開始要求を受信した場合に、周波数帯域の設定とＢＴマイクの検出の有無に従って、無線機能開始時の周波数帯域を決定する。これにより、混信を防ぐことが可能となる。
【００５６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態においては、ＢＴマイクの通信制御が撮像装置からは行えず、撮像装置にＢＴマイクが装着した時点でＢｌｕｅｔｏｏｔｈ通信が動作するものとして説明したが、撮像装置からＢＴマイクの通信制御ができる場合、無線機能の種別や混信の影響に応じて、通信制御を行うとしてもよい。例えば、カメラ系機能動作中は、一定時間ＢＴマイクの通信を開始させず、一定時間以内にユーザがＢＴマイクを取り外さなかった場合、無線機能を終了し、ＢＴマイクの通信を開始させる。再生系機能動作中および設定系機能動作中は、ＢＴマイクの通信を開始させない。としてもよい。また、ＢＴマイクの通信開始時に表示部１００８に通知を表示させてもよい。
【００５７】
なお、上述した各実施形態は本発明の一実施形態を示すものにすぎず、各実施形態を適宜組み合せることも可能である。
【００５８】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５９】
１００１…撮像部、１００２…映像処理部、１００３…音声入力部、１００４…内蔵マイク部、１００５…入力選択部、１００６…音声信号処理部、１００７…操作部、１００８…表示部、１００９…表示制御部、１０１２…無線通信制御部、１０１３…無線通信部、１０１４…記録制御部、１０１５…記録部、１０１６…装置制御部
【図１】
2018042112.tif 000003
【図２】
2018042112.tif 000004
【図３】
2018042112.tif 000005
【図４】
2018042112.tif 000006
【図５】
2018042112.tif 000007
【図６】
2018042112.tif 000008
【図７】
2018042112.tif 000009